【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
同一の形状を有する２枚の多層複合フィルムが互いに重なるように配設され、
当該２枚の多層複合フィルムの間の内部に前記多層複合フィルムの周辺寸法よりも小さい周辺寸法を有する絶縁材料からなる配線固定用粘着層が配設され、
当該配線固定用粘着層上に、外部の電源に電線を介して両端部が接続されている裸ニクロム線が配設され、
前記２枚の多層複合フィルムの周辺部分がヒートシールされていることを特徴とする面状発熱体。
【請求項２】
前記裸ニクロム線が配設されている面とは反対側の前記配線固定用粘着層の表面と前記多層複合フィルムとの間には、当該多層複合フィルムに基板固定用粘着層によって固定されている合成樹脂からなる前記配線固定用粘着層と同一の周辺寸法を有する基板が配設されていることを特徴とする請求項１に記載の面状発熱体。
【請求項３】
前記配線固定用粘着層上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項１または２に記載の面状発熱体。
【請求項４】
前記基板固定用粘着層が粘着している前記多層複合フィルムと当該基板固定用粘着層との間には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項２に記載の面状発熱体。
【請求項５】
同一の形状を有する２枚の多層複合フィルムが互いに重なるように配設され、
当該２枚の多層複合フィルムの間の内部に、両面に基板固定用粘着層を有し且つ前記多層複合フィルムの周辺寸法よりも小さい周辺寸法の合成樹脂からなる基板であって、裸ニクロム線を収納するための溝部または透孔部が形成された基板が配設され、
前記基板の溝部または透孔部には、外部の電源に電線を介して両端部が接続されている裸ニクロム線が配設され、
前記２枚の多層複合フィルムの周辺部分がヒートシールされていることを特徴とする面状発熱体。
【請求項６】
前記基板固定用粘着層上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項５に記載の面状発熱体。
【請求項７】
多層複合フィルムと、これと同一の形状を有し且つ少なくとも一面側に絶縁材料が配設されている絶縁カバー部材とが、前記絶縁カバー部材の前記絶縁材料が配設されている面が前記多層複合フィルムと対向した状態で重なるように配設され、
前記多層複合フィルムと前記絶縁カバー部材との間には前記多層複合フィルムの周辺寸法と同一の周辺寸法を有する絶縁材料からなる配線固定用粘着層が配設され、
当該配線固定用粘着層上に、外部の電源に電線を介して両端部が接続されている裸ニクロム線が配設されていることを特徴とする面状発熱体。
【請求項８】
前記配線固定用粘着層上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項７に記載の面状発熱体。
【請求項９】
同一の形状を有する２枚の合成樹脂フィルムまたはシートが互いに重なるように配設され、
当該２枚の合成樹脂フィルムまたはシートの間の内部に前記合成樹脂フィルムまたはシートの周辺寸法よりも小さい周辺寸法を有する絶縁材料からなる配線固定用粘着層が配設され、当該配線固定用粘着層上に、外部の電源に電線を介して両端部が接続されている裸ニクロム線が配設され、
前記裸ニクロム線が配設されている面とは反対側の前記配線固定用粘着層の表面と該表面に対向する前記合成樹脂フィルムまたはシートとの間には、当該合成樹脂フィルムまたはシートに固定用粘着層によって固定されて且つ前記配線固定用粘着層と同一の形状を有する金属板（アルミニウム箔を含む）が配設され、
前記２枚の合成樹脂フィルムまたはシートの周辺部分がヒートシールされていることを特徴とする面状発熱体。
【請求項１０】
前記配線固定用粘着層の前記裸ニクロム線が配設されている表面上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項９に記載の面状発熱体。
【請求項１１】
同一の形状を有する２枚の合成樹脂フィルムまたはシートが互いに重なるように配設され、
当該２枚の合成樹脂フィルムまたはシートの間の内部に前記合成樹脂フィルムまたはシートの周辺寸法よりも小さい周辺寸法を有する絶縁材料からなる配線固定用粘着層が配設され、当該配線固定用粘着層上に、外部の電源に電線を介して両端部が接続されている裸ニクロム線が配設され、
前記２枚の合成樹脂フィルムまたはシートの周辺部分がヒートシールされ、
前記２枚の合成樹脂フィルムまたはシートのいずれか一方の外側の表面上には、金属板（アルミニウム箔を含む）が固定用粘着層によって固定されていることを特徴とする面状発熱体。
【請求項１２】
前記配線固定用粘着層上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項１１に記載の面状発熱体。
【請求項１３】
同一の形状を有する２枚の合成樹脂フィルムまたはシートが互いに重なるように配設され、
当該２枚の合成樹脂フィルムまたはシートの間には、当該合成樹脂フィルムまたはシートと同一の形状を有する絶縁材料からなる配線固定用粘着層が配設され、
当該配線固定用粘着層上に、外部の電源に電線を介して両端部が接続されている裸ニクロム線が配設され、
前記裸ニクロム線が配設されている面とは反対側の前記配線固定用粘着層の表面と該表面に対向する前記合成樹脂フィルムまたはシートとの間には、当該合成樹脂フィルムまたはシートに固定用粘着層によって固定されて且つ前記合成樹脂フィルムまたはシートの周辺寸法よりも小さい周辺寸法を有する金属板（アルミニウム箔を含む）が配設されていることを面状発熱体。
【請求項１４】
前記配線固定用粘着層の前記裸ニクロム線が配設されている表面上には、前記裸ニクロム線の端部と前記電線の端部とを接続するための導電帯が配設され、前記裸ニクロム線の端部と前記電線の端部とは前記導電帯上の異なる部分に半田付けされていることを特徴とする請求項１３に記載の面状発熱体。
【請求項１５】
前記裸ニクロム線は、前記面状発熱体の周辺部分の形状に沿って配線されていることを特徴とする請求項１ないし請求項１４のいずれかに記載の面状発熱体。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明によれば、第４に、同一の形状を有する２枚の合成樹脂フィルムまたはシートが
互いに重なるように配設され、当該２枚の合成樹脂フィルムまたはシートの間の内部に前
記合成樹脂フィルムまたはシートの周辺寸法よりも小さい周辺寸法を有する絶縁材料から
なる配線固定用粘着層が配設され、当該配線固定用粘着層上に、外部の電源に電線を介し
て両端部が接続されている裸ニクロム線が配設され、前記裸ニクロム線が配設されている
面とは反対側の前記配線固定用粘着層の表面と該表面に対向する前記合成樹脂フィルムま
たはシートとの間には、当該合成樹脂フィルムまたはシートに固定用粘着層によって固定
されて且つ前記配線固定用粘着層と同一の形状を有する金属板（アルミニウム箔を含む）
が配設され、前記２枚の合成樹脂フィルムまたはシートの周辺部分がヒートシールされて
いることを特徴とする面状発熱体を提供することができる。
【手続補正５】
【補正対象書類名】明細書
【補正対象項目名】００１８
【補正方法】変更
【補正の内容】
【００１８】
本発明によれば、第５に、同一の形状を有する２枚の合成樹脂フィルムまたはシートが
互いに重なるように配設され、当該２枚の合成樹脂フィルムまたはシートの間の内部に前
記合成樹脂フィルムまたはシートの周辺寸法よりも小さい周辺寸法を有する絶縁材料から
なる配線固定用粘着層が配設され、当該配線固定用粘着層上に、外部の電源に電線を介し
て両端部が接続されている裸ニクロム線が配設され、前記２枚の合成樹脂フィルムまたは
シートの周辺部分がヒートシールされ、前記２枚の合成樹脂フィルムまたはシートのいず
れか一方の外側の表面上には、金属板（アルミニウム箔を含む）が固定用粘着層によって
固定されていることを特徴とする面状発熱体を提供することができる。
【手続補正６】
【補正対象書類名】明細書
【補正対象項目名】００１９
【補正方法】変更
【補正の内容】
【００１９】
本発明によれば、第６に、同一の形状を有する２枚の合成樹脂フィルムまたはシートが
互いに重なるように配設され、当該２枚の合成樹脂フィルムまたはシートの間には、当該
合成樹脂フィルムまたはシートと同一の形状を有する絶縁材料からなる配線固定用粘着層
が配設され、当該配線固定用粘着層上に、外部の電源に電線を介して両端部が接続されて
いる裸ニクロム線が配設され、前記裸ニクロム線が配設されている面とは反対側の前記配
線固定用粘着層の表面と該表面に対向する前記合成樹脂フィルムまたはシートとの間には
、当該合成樹脂フィルムまたはシートに固定用粘着層によって固定されて且つ前記合成樹
脂フィルムまたはシートの周辺寸法よりも小さい周辺寸法を有する金属板（アルミニウム
箔を含む）が配設されていることを特徴とする面状発熱体を提供することができる。
【手続補正７】
【補正対象書類名】明細書
【補正対象項目名】００２０
【補正方法】削除
【補正の内容】
【手続補正８】
【補正対象書類名】明細書
【補正対象項目名】００６９
【補正方法】変更
【補正の内容】
【００６９】
以上説明したように、本実施形態４によれば、面状発熱体の周辺部分がヒートシールま
たは粘着層２０，２２によって密着状態となっているために、外部の水分が内部に浸入す
るようなことはない。また、先に説明したように外部の電線７０を半田付けにより簡単に
接続することができるので、図１４，図１５に示す従来のニクロム線コード使用の面状発
熱体における当該面状発熱体の外部での面倒な接続や防水，防湿等の面倒な処理が不要と
なり、薄型でフレキシブルな面状発熱体にすることが可能となる。
【手続補正９】
【補正対象書類名】明細書
【補正対象項目名】符号の説明
【補正方法】変更
【補正の内容】
【符号の説明】
１，１０  裸ニクロム線
２  シリコンゴム
３，４  アルミニウム箔
５  粘着剤（両面粘着フィルム等）
６  加熱対象物
１１  絶縁部材
２０，２１，２２  粘着層
３０，４０  多層複合フィルム
３１  窓部
４１  絶縁カバー部材
５０  導電帯
５１  上保護カバー
５１ａ，５１ｂ  窓部
５２  下保護カバー
６０  半田
７０  電線
７１  エポキシ樹脂
８０  基板
８１  溝部（または透孔）
９０  カバー部材
９１，９２  合成樹脂フィルム（またはシート）
１００  金属板（アルミニウム箔を含む）